(57)【要約】  【構成】  リマインダ装置１０は、スイッチ１８およびプリンタ２０を含み、ユーザによるスイッチ１８の操作に応じて、リマインダ用紙を出力する。具体的には、ユーザがスイッチ１８を押すと、リマインダ装置１０のＣＰＵ１２は、タイマ１４から現在時刻の情報を取得し、メモリ１６から設置場所の情報を取得する。そして、プリンタ２０によって、現在時刻と設置場所とを印字したリマインダ用紙を出力する。  【効果】  時刻や場所が印刷されたリマインダ用紙を出力するので、ユーザは、覚えておくべき事柄が発生したときにリマインダ用紙を取得すれば、当該リマインダ用紙に記された時刻や場所の情報を基にして、後からその覚えておくべき事柄を容易に思い出すことができ、適切な行動を取ることができる。【選択図】  図１
2008168518.tif 000002
【特許請求の範囲】
【請求項１】
ユーザによって操作される操作手段、
現在時刻を計時する計時手段、
前記操作手段の操作による出力指示を検出する指示検出手段、および
前記指示検出手段によって前記出力指示が検出されたとき、前記計時手段から取得した現在時刻に関する情報を印字したリマインダ用紙を出力する印刷手段を備える、リマインダ装置。
【請求項２】
設置場所を記憶する場所記憶手段をさらに備え、
前記印刷手段は、前記指示検出手段によって前記出力指示が検出されたとき、前記現在時刻に関する情報と前記設置場所の情報とを印字したリマインダ用紙を出力する、請求項１記載のリマインダ装置。
【請求項３】
前記ユーザの前記操作手段の操作によるタイムリミットの指定を検出するタイムリミット検出手段をさらに備え、
前記印刷手段は、前記タイムリミットを含む前記現在時刻に関する情報を印字した前記リマインダ用紙を出力する、請求項１または２記載のリマインダ装置。
【請求項４】
前記操作手段は、前記ユーザによって所持され、当該ユーザの操作に応じて当該ユーザの識別情報を含む出力指示を送信する無線スイッチを含み、
前記指示検出手段は、前記無線スイッチから送信される前記出力指示を受信する指示受信手段を含み、
前記印刷手段は、前記指示受信手段によって前記無線スイッチからの前記出力指示が受信されたとき、前記ユーザの識別情報をさらに印字した前記リマインダ用紙を出力する、請求項１ないし３のいずれかに記載のリマインダ装置。
【請求項５】
或る場所に設けられる１台の本体と１または複数のユーザによってそれぞれ所持される１または複数の無線スイッチとを含むリマインダ装置であって、
前記無線スイッチは、
前記ユーザの操作に応じて当該ユーザの識別情報を含む出力指示を送信する指示送信手段を備え、
前記本体は、
現在時刻を計時する計時手段、
前記ユーザの現在位置を取得する現在位置取得手段、
前記無線スイッチから送信される前記出力指示を受信する指示受信手段、および
前記指示受信手段によって前記出力指示が受信されたとき、前記ユーザの識別情報と前記現在時刻に関する情報と前記ユーザの現在位置情報とを印字したリマインダ用紙を出力する印刷手段を備える、リマインダ装置。
【発明の詳細な説明】
【技術分野】
【０００１】
この発明はリマインダ装置に関し、特にたとえばリマインダ用紙を出力する、リマインダ装置に関する。
【背景技術】
【０００２】
人は物事を忘れ易いものであり、それを防ぐために、紙、黒板、ＰＤＡのような小型端末、およびコンピュータなど、様々な道具を用いて記録を行っている。たとえば、特許文献１には、ユーザが入力した予定をその通知予定日時になったときにリマインダとして通知する情報機器が開示されている。特許文献１の技術では、ユーザの予定の日付、名前、連絡先電話番号、通知時間、通知手段の指定などの情報がユーザによって入力される。通知時間が到来すると、予定がリマインダとしてアラーム、画面表示またはメールによって通知される。
【特許文献１】特開２００５−１２８６５９号公報
【発明の開示】
【発明が解決しようとする課題】
【０００３】
しかしながら、予定などの覚えておくべき事柄を記録することの煩わしさから、人は記録を行わなかったり、あるいは、記録した内容が簡潔過ぎて内容を思い出せなかったりといった問題がよく発生する。特許文献１の技術では、ユーザ自らが、予定の日付や名前などの情報を入力する必要があるため、その入力操作の煩わしさから、ユーザはその入力操作を怠ってしまう恐れがある。
【０００４】
それゆえに、この発明の主たる目的は、新規な、リマインダ装置を提供することである。
【０００５】
この発明の他の目的は、ユーザによる簡易な操作によって、ユーザが覚えておくべき事柄を思い出せる、或いは確認できるリマインダ用紙を出力することができる、リマインダ装置を提供することである。
【課題を解決するための手段】
【０００６】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００７】
請求項１の発明は、ユーザによって操作される操作手段、現在時刻を計時する計時手段、操作手段の操作による出力指示を検出する指示検出手段、および指示検出手段によって出力指示が検出されたとき、計時手段から取得した現在時刻に関する情報を印字したリマインダ用紙を出力する印刷手段を備える、リマインダ装置である。
【０００８】
請求項１の発明では、リマインダ装置（１０）は、たとえば病院などに設置され、指示検出手段（１２）によってユーザによる操作手段（１８）の操作、すなわち出力指示が検出されたとき、印刷手段（１２，２０）を用いてリマインダ用紙を出力する。操作手段は、たとえば押しボタンを含み、ユーザは、押しボタンを押すというような簡易な操作でリマインダ用紙の出力指示を行う。ここで、リマインダ用紙とは、ユーザが覚えておくべき事柄を思い出すため、或いは確認するために役立つ情報が印字（印刷）された用紙をいう。たとえば、人間がやるべき事柄を思い出せない場合には、その事柄に関連する時刻や場所が分かれば、人間は、多くの場合にそのやるべき事柄を思い出すことができる。そこで、リマインダ装置は、指示検出手段によってユーザによる出力指示が検出されたとき、計時手段（１４）からそのときの現在時刻（或いは現在日時）を取得する。そして、現在時刻に関する情報、たとえば現在時刻そのものや現在時刻に基づいて算出したタイムリミット等を印字したリマインダ用紙を印刷手段によって出力する。なお、たとえばリマインダ装置を適用する環境内に１台のリマインダ装置を設置する場合や、リマインダ装置の設置場所によってリマインダ用紙の色を変える場合などには、ユーザは、リマインダ用紙を入手した場所を容易に特定できる。
【０００９】
請求項１の発明によれば、ユーザの簡易な操作に応じて、時刻に関する情報を印字したリマインダ用紙を出力する。ユーザは、覚えておくべき事柄が発生したときに出力指示を行えば、その事柄に関する時刻が印字されたリマインダ用紙を取得できるので、当該リマインダ用紙に印字された時刻や当該リマインダ用紙を取得した場所の情報などを基にして、ユーザは後からその覚えておくべき事柄を思い出すこと、或いは確認することができる。
【００１０】
請求項２の発明は、請求項１の発明に従属し、設置場所を記憶する場所記憶手段をさらに備え、印刷手段は指示検出手段によって出力指示が検出されたとき、現在時刻に関する情報と設置場所の情報とを印字したリマインダ用紙を出力する。
【００１１】
請求項２の発明では、たとえば、病院などの環境内に複数のリマインダ装置（１０）を設置する。リマインダ装置は場所記憶手段（１６）を備え、場所記憶手段はそのリマインダ装置が設置される場所を記憶する。印刷手段（１２，２０）は、指示検出手段（１２）によって出力指示が検出されたとき、現在時刻に関する情報とリマインダ装置の設置場所の情報とを印字したリマインダ用紙を出力する。
【００１２】
請求項２の発明によれば、現在時刻に関する情報と設置場所の情報とを印字したリマインダ用紙を出力する。ユーザは、覚えておくべき事柄が発生したときに、その事柄が発生した場所に設置されているリマインダ装置に出力指示を行えば、その事柄に関する時刻と場所とが印字されたリマインダ用紙を取得できる。したがって、ユーザは、そのリマインダ用紙を参照すれば、覚えておくべき事柄をより容易に思い出すこと、或いは確認することができる。
【００１３】
請求項３の発明は、請求項１または２の発明に従属し、ユーザの操作手段の操作によるタイムリミットの指定を検出するタイムリミット検出手段をさらに備え、印刷手段はタイムリミットを含む現在時刻に関する情報を印字したリマインダ用紙を出力する。
【００１４】
請求項３の発明では、タイムリミット検出手段（１２）をさらに備え、タイムリミット検出手段は、ユーザによる操作手段（１８ａ〜１８ｄ）の操作によるタイムリミットの指定を検出する。たとえば、タイムリミット検出手段によって検出されたタイムリミットの指定が１０分後である場合には、リマインダ装置（１０）は、計時手段（１４）から現在時刻を取得し、その現在時刻の１０分後の時刻をタイムリミット（時限）として算出する。印刷手段（１２，２０）は、そのタイムリミットを含む現在時刻に関する情報を印字したリマインダ用紙を出力する。
【００１５】
請求項３の発明によれば、タイムリミットを含む現在時刻に関する情報を印字したリマインダ用紙を出力する。したがって、ユーザは、そのリマインダ用紙を参照すれば、覚えておくべき事柄をより容易に思い出すこと、或いは確認することができる。
【００１６】
請求項４の発明は、請求項１ないし３の発明のいずれかに従属し、操作手段はユーザによって所持され当該ユーザの操作に応じて当該ユーザの識別情報を含む出力指示を送信する無線スイッチを含み、指示検出手段は無線スイッチから送信される出力指示を受信する指示受信手段を含み、印刷手段は指示受信手段によって無線スイッチからの出力指示が受信されたとき、ユーザの識別情報をさらに印字したリマインダ用紙を出力する。
【００１７】
請求項４の発明では、リマインダ装置（１０）は、本体（２６）および無線スイッチ（２８）を備える。無線スイッチは、ユーザによって所持、或いは装着され、ユーザの出力指示を検出すると、リマインダ装置の本体に対して、ユーザの識別情報を含む出力指示を送信する。指示受信手段（１２，３０）は、本体に設けられ、無線スイッチから送信される出力指示を受信する。印刷手段（１２，２０）は、無線スイッチからの出力指示に応じて、時刻に関する情報や場所の情報と共にユーザの識別情報を印字したリマインダ用紙を出力する。
【００１８】
請求項４の発明によれば、ユーザのＩＤ情報をさらに印字したリマインダ用紙を出力する。ユーザは、一定時間後にやるべき事柄があるときに出力指示を行えば、時刻やそのユーザのＩＤ情報などを印字したリマインダ用紙を取得できるので、そのリマインダ用紙にやるべき事柄を記入して掲示板などに貼り付けておけば、他のユーザもそのリマインダ用紙を参照することによってやるべき事柄を確認でき、ユーザは他のユーザと共に優先すべき作業から順に行うことができる。したがって、やるべき事柄を効率的に行うことができる。
【００１９】
請求項５の発明は、或る場所に設けられる１台の本体と１または複数のユーザによってそれぞれ所持される１または複数の無線スイッチとを含むリマインダ装置であって、無線スイッチは、ユーザの操作に応じて当該ユーザの識別情報を含む出力指示を送信する指示送信手段を備え、本体は、現在時刻を計時する計時手段、ユーザの現在位置を取得する現在位置取得手段、無線スイッチから送信される出力指示を受信する指示受信手段、および指示受信手段によって出力指示が受信されたときユーザの識別情報と現在時刻に関する情報とユーザの現在位置情報とを印字したリマインダ用紙を出力する印刷手段を備える、リマインダ装置である。
【００２０】
請求項５の発明では、リマインダ装置（１０）は、１台の本体（２６）と１または複数の無線スイッチ（２８）とを含み、無線スイッチからの信号は、たとえばネットワーク（１００）を介して本体に送信される。また、本体は、或る場所のみ（たとえば、ナースステーションのみ）に設置され、無線スイッチは、１または複数のユーザによってそれぞれ所持、或いは装着される。ユーザによって無線スイッチのスイッチ（３６）が操作されると、無線スイッチの指示送信手段（３２，３８）は、本体に対してユーザの識別情報を含む出力指示を送信する。本体は、指示受信手段（１２，３０）によって無線スイッチからの出力指示が受信されたとき、計時手段（１４）からそのときの現在時刻を取得する。また、現在位置取得手段（１２，３０）によってユーザの現在位置（ユーザ自身、或いはユーザが所持する無線スイッチの現在位置）を取得する。たとえば、本体は、ネットワーク（１００）を介してユーザの現在位置を検出する現在位置検出システム（１０２）と接続され、現在位置取得手段は、この現在位置検出システムからユーザの現在位置を取得する。印刷手段（１２，２０）は、ユーザの識別情報と現在時刻に関する情報とユーザの現在位置情報とを印字したリマインダ用紙を出力する。
【００２１】
請求項５の発明によれば、ユーザの識別情報と現在時刻に関する情報とユーザの現在位置情報を印字したリマインダ用紙を出力する。ユーザは、後でやるべき事柄がリマインダ装置の本体から離れた場所において発生した場合に、無線スイッチを用いて出力指示を行えば、時刻に関する情報やユーザの現在位置情報などを印字したリマインダ用紙が本体から出力される。ユーザは、手の空いたときなどに本体の設置場所に行き、そのリマインダ用紙を取得して参照すれば、やるべき事柄や覚えておくべき事柄を容易に思い出すこと、或いは確認することができる。
【発明の効果】
【００２２】
この発明によれば、ユーザの簡易な操作に応じて、時刻に関する情報を印字したリマインダ用紙を出力する。ユーザは、覚えておくべき事柄があるときに出力指示を行えば、その事柄に関する時刻が印字されたリマインダ用紙を取得できる。したがって、ユーザは、当該リマインダ用紙に印字された時刻や当該リマインダ用紙を取得した場所の情報などを基にして、後からその覚えておくべき事柄を容易に思い出すこと、或いは確認することができ、適切な行動を取ることができる。
【００２３】
この発明の上述の目的，その他の目的，特徴および利点は、図面を参照して行う以下の実施例の詳細な説明から一層明らかとなろう。
【発明を実施するための最良の形態】
【００２４】
図１を参照して、この実施例のリマインダ装置１０は、たとえば、病院や研究所などに設置され、看護師や研究者などのユーザの操作（出力指示）に応じて、リマインダ用紙を出力（排紙）する。ここで、リマインダ用紙とは、ユーザが覚えておくべき事柄を思い出すため、或いは確認するために役立つ情報が印字（印刷）された用紙をいう。
【００２５】
リマインダ装置１０は、このリマインダ装置１０の動作を制御するＣＰＵ１２を含み、このＣＰＵ１２には、タイマ１４、メモリ１６、スイッチ１８およびプリンタ２０等が接続される。
【００２６】
タイマ（タイマＩＣ）１４は、日付や時刻を含む現在日時の情報を管理し、たとえばＣＰＵ１２からの要求（信号）に応じて、現在の日付や時刻に応じた日時情報（日時信号）をＣＰＵ１２に対して出力する。
【００２７】
メモリ１６は、リマインダ装置１０の動作を制御するためのプログラムなどを記憶すると共に、必要なデータ、たとえばそのリマインダ装置１０が設置された設置場所の情報などを記憶する。
【００２８】
スイッチ１８は、たとえば押ボタンによって構成され、ユーザによって操作される（押される）と、当該スイッチ１８が操作されたことを示す信号をＣＰＵ１２に対して出力する。
【００２９】
プリンタ２０は、ＣＰＵ１２からの信号に基づいて、用紙に所定事項を印字し、所定事項が印字された用紙、すなわちリマインダ用紙を排紙口２４（図２参照）から出力する。なお、出力されるリマインダ用紙の大きさは、たとえば、３ｃｍ×５ｃｍ程度の小さな紙片であってよい。ただし、このリマインダ用紙の大きさは例示であり、リマインダ用紙は適宜な大きさや形状を有してよい。また、リマインダ用紙は、部分糊付けされた付箋紙であってもよいし、通常の（部分糊付けされていない）紙片であってもよい。なお、部分糊付けされた付箋紙を用いる場合には、たとえば、特開２００３−１１４３６号公報に開示されるような公知の機構技術を適用する。
【００３０】
図２は、リマインダ装置１０の外観を概略的に示す。リマインダ装置１０は、図２に示すように、たとえば箱型の筐体２２を有し、その筐体２２の上部には、スイッチ１８およびリマインダ用紙の排紙口２４が設けられる。ただし、リマインダ装置１０（筐体２２、スイッチ１８および排紙口２４など）の形状などは、これに限定されず、適宜な外観（デザイン）を有するように形成されてよい。また、スイッチ１８および排紙口２４は、筐体２２の適宜な位置に設けることができる。
【００３１】
このような構成のリマインダ装置１０は、ユーザによってスイッチ１８が操作されると、上述したように、リマインダ用紙を出力する。人が物事（事柄）を記憶したり思い出したりする際には、その事柄に関連する時刻および場所が重要なヒントになる。たとえば、やるべき事柄を思い出せない場合に、その事柄が発生した時刻や場所が分かれば、人間は、多くの場合にその内容を思い出すことが可能である。そこで、この実施例では、ユーザによるスイッチ１８の操作に応じて、現在日時（或いは、現在時刻）とリマインダ装置１０の設置場所とを印字したリマインダ用紙を出力する。また、リマインダ装置１０が使用される環境（病院や研究所など）には、複数のリマインダ装置１０を設置し、ユーザが様々な場所でリマインダ用紙を取得できるようにするとよい。たとえば、リマインダ装置１０を、部屋ごとに設置したり、ユーザにとってやるべき事柄が発生し易い地点ごとに設置したりするとよい。
【００３２】
具体的には、ユーザによってスイッチ１８が押下されると、スイッチ１８が操作されたことを示す信号がスイッチ１８からＣＰＵ１２に出力される。ＣＰＵ１２は、このスイッチ１８からの信号に応じて、現在、すなわちスイッチ１８が押下された時点の日付や時刻に応じた日時情報（或いは、時刻情報）をタイマ１４から取得し、当該リマインダ装置１０が設置されている設置場所の情報をメモリ１６から取得する。そして、プリンタ２０に対して、現在日時と設置場所とを印字したリマインダ用紙を排紙するための信号を出力する。プリンタ２０は、このＣＰＵ１２からの信号に基づいて、たとえば、図３に示すような、日時（現在日時）と場所（設置場所）とを印字したリマインダ用紙を出力する。
【００３３】
たとえば、看護師がユーザである場合について例示すると、看護師が患者に対して点滴を行った後の経過確認など、一定時間後にその看護師のやるべき作業があるときに、看護師は、その患者のいる部屋、或いはその患者のいるベッド付近に設置されているリマインダ装置１０のスイッチ１８を押す。すると、スイッチ１８を押した時点の日時（現在日時）と点滴した患者のいる部屋（そのリマインダ装置１０の設置場所）とが印字されたリマインダ用紙がリマインダ装置１０から出力される。ユーザ（看護師）は、たとえば、出力されたリマインダ用紙を持ち運ぶようにし、適宜そのリマインダ用紙を見る（確認する）ようにすれば、やるべき作業を忘れることが無く、或いは忘れていたとしても容易に思い出すことができ、やるべき作業を確実に行うことができる。これは、複数の患者に対して点滴を行った場合など、ユーザが多忙なときほど効果が大きい。また、ユーザは、リマインダ用紙を取得したときに、必要に応じて、やるべき作業の内容（この場合には、「点滴確認」など）をリマインダ用紙に記入してもよい。やるべき作業の内容をユーザが記入するようにすれば、ユーザは、やるべき作業を容易に把握でき、より確実にやるべき作業を行うことができる。
【００３４】
また、ユーザ（看護師）が覚えておきたい事柄がある場合、たとえば、後で看護日誌に記述する必要のある事柄が発生した場合に、ユーザは、その覚えておきたい事柄が発生した時点で、その覚えておきたい事柄が発生した場所（或いはその付近）に設置されているリマインダ装置１０のスイッチ１８を押す。ユーザは、そのときに出力されたリマインダ用紙を保存（保管）しておき、看護日誌を記述するときにそのリマインダ用紙を参照すれば、覚えておきたい事柄の発生した日時（時刻）と場所とが分かるので、覚えておきたい事柄を思い出すことができる。また、この場合にも、ユーザは、必要に応じて覚えておきたい事柄の内容をリマインダ用紙に記入しておけば、より確実に覚えておきたい事柄を思い出すことができる。ただし、覚えておきたい事柄が発生したときにユーザが忙しく、リマインダ用紙にユーザが記入する内容が簡潔になった場合、或いは覚えておきたい事柄の内容を全く記入しなかった場合でも、リマインダ用紙に印字されているその覚えておきたい事柄が発生した日時および場所が大きなヒントとなるため、ユーザは、覚えておきたい事柄を後で思い出すことができる。
【００３５】
この実施例によれば、スイッチ１８を押すというユーザによる簡易な操作に応じて、現在時刻と設置場所とが印字されたリマインダ用紙を出力する。ユーザは、覚えておくべき事柄があるときにリマインダ装置１０のスイッチ１８を押せば、その事柄に関する時刻と場所とが印字されたリマインダ用紙を取得できるので、当該リマインダ用紙に印字された時刻および場所の情報を基にして、ユーザは後からその事柄を容易に思い出すこと、或いは確認することができ、適切な行動を取ることができる。
【００３６】
なお、リマインダ用紙は、面倒な入力操作を行うことなく取得できる上、携帯電話やＰＤＡなどと比較して容易に持ち運ぶことができるので、忙しく動き回るユーザにとって有効である。また、リマインダ用紙は、携帯電話などの使用が制限される看護師などのユーザに対して特に有効である。
【００３７】
また、リマインダ用紙が部分糊付けされた付箋紙であれば、適宜な場所にリマインダ用紙を貼り付けることができる。たとえば、ユーザが持ち歩く手帳などにリマインダ用紙を貼り付けたり、複数のリマインダ用紙同士を重ねて貼り付けて、１つに束ねたりできるので、持ち運びが容易となる。また、たとえば、後述するように、リマインダ用紙をＴＯＤＯリストとして用いる場合には、掲示板にリマインダ用紙を容易に貼り付けることができる。
【００３８】
なお、上述の実施例では、リマインダ装置１０の筐体２２に設けたスイッチ１８によってユーザの出力指示を検出したが、これに限定されない。たとえば、他の実施例として、筐体２２に設けるスイッチ１８に代えて、或いは筐体２２に設けるスイッチ１８と共に、ユーザが腕などに装着する、或いは保持する無線スイッチ２８によってユーザの出力指示を検出するようにしてもよい。この場合には、複数の無線スイッチ２８を用意し、複数のユーザのそれぞれが無線スイッチ２８を装着するようにするとよい。そして、各無線スイッチ２８のそれぞれが、それを装着するユーザを識別するためのＩＤ（識別情報）を持つようにし、各無線スイッチ２８は、各ユーザの操作に応じて、リマインダ用紙の出力指示を送信すると共に、操作を行った（つまり、その無線スイッチ２８を装着している）ユーザのＩＤ情報を送信するようにするとよい。
【００３９】
具体的には、図４に示すように、リマインダ装置１０は、本体２６および無線スイッチ２８を含む。本体２６と無線スイッチ２８とは、たとえばBluetooth(登録商標)のような近距離無線によって直接通信可能に接続され、本体２６は、無線通信部３０を介して無線スイッチ２８からの信号を受信する。なお、図４のリマインダ装置１０の本体２６は、無線通信部３０が設けられる以外は図１のリマインダ装置１０と同様の構成であるので、共通する部位については同じ参照番号を付し、説明を省略する。
【００４０】
無線スイッチ２８は、この無線スイッチ２８の動作を制御するＣＰＵ３２を含み、このＣＰＵ３２には、メモリ３４、スイッチ３６および無線通信部３８などが接続される。無線スイッチ２８のメモリ３４は、無線スイッチ２８の動作を制御するためのプログラムなどを記憶すると共に、必要なデータ、たとえばその無線スイッチ２８を装着するユーザのＩＤに関する情報を記憶する。また、無線スイッチ２８のスイッチ３６は、たとえば押ボタンによって構成され、ユーザによって操作される（押下される）と、当該スイッチ３６が操作されたことを示す信号を無線スイッチ２８のＣＰＵ３２に対して出力する。無線スイッチ２８の無線通信部３８は、無線スイッチ２８のＣＰＵ３２からの信号に応じて、無線スイッチ２８のスイッチ３６が操作された旨を伝える信号などを本体２６に対して無線送信する。
【００４１】
このような無線スイッチ２８は、たとえば、図５に示すように、ゴムバンドやリストバンドのような固定部材４０によって、ユーザの手首や腕などに装着、或いは保持される。ただし、無線スイッチ２８のユーザへの装着方法はこれに限定されず、たとえば、無線スイッチ２８をペンダントのようにユーザの首から提げるようにしてもよいし、無線スイッチ２８をユーザのポケットに入れておくようにしてもよい。
【００４２】
図４のリマインダ装置１０では、ユーザによって無線スイッチ２８のスイッチ３６が押下されると、スイッチ３６が操作されたことを示す信号がスイッチ３６から無線スイッチ２８のＣＰＵ３２に出力される。無線スイッチ２８のＣＰＵ３２は、このスイッチ３６からの信号に応じて、当該無線スイッチ２８を装着しているユーザのＩＤ情報をメモリ３４から取得する。そして、無線スイッチ２８の無線通信部３８を介して、ユーザによる出力指示があった旨およびユーザのＩＤ情報を伝える信号を本体２６に対して送信する。本体２６のＣＰＵ１２は、本体２６の無線通信部３０を介して無線スイッチ２８からの信号を受信すると、現在、すなわち無線スイッチ２８からの信号を受信した時点の日時情報をタイマ１４から取得し、当該リマインダ装置１０の本体２６が設置されている設置場所の情報をメモリ１６から取得する。そして、プリンタ２０に対して、現在日時と設置場所とユーザのＩＤ情報とを印字したリマインダ用紙を排紙するための信号を出力する。プリンタ２０は、この本体２６のＣＰＵ１２からの信号に基づいて、図６に示すような、日時（現在日時）と場所（本体２６の設置場所）とＩＤ（ユーザのＩＤ情報）とを印字したリマインダ用紙を出力する。
【００４３】
たとえば、複数の看護師がユーザである場合について例示すると、ナースステーション等において、他の看護師が行ってもかまわず、即座に行う必要の無い事柄が発生した場合に、ユーザ（看護師）は、その事柄が発生した時点で、無線スイッチ２８のスイッチ３６を押す。すると、スイッチ３６を押した時点の日時（現在日時）とリマインダ装置１０の本体２６の設置場所（この場合はナースステーション）とユーザのＩＤ情報とが印字されたリマインダ用紙が、リマインダ装置１０の本体２６の排紙口２４から出力される。ユーザは、たとえば、出力されたリマインダ用紙にその事柄（作業）の内容を記入し、掲示板などに貼り付けておく。他のユーザ（他の看護師）は、手の空いているときにその掲示板を参照し、掲示板に貼り付けられているリマインダ用紙の中から、その印刷時刻（つまり現在時刻）やＩＤ情報（看護師の名前など）等を考慮して、優先度の高いリマインダ用紙を取得し、そのリマインダ用紙に記入された作業を実行する。このように、手の空いているユーザ（他のユーザ）が掲示板のリマインダ用紙を参照することによって、他のユーザは、やるべき作業を確認でき、優先すべき作業から順に行うことができる。つまり、リマインダ用紙はＴＯＤＯリストとして利用することもでき、たとえば、グループで共同して行う作業や他者が代行可能な作業などの複数のユーザで共有可能な事柄について、グループで図４に示すリマインダ装置１０を利用すれば、やるべき事柄を効率的に行うことができる。
【００４４】
また、ユーザのＩＤ情報をリマインダ用紙に印字することによって、ユーザがリマインダ用紙に名前などを記入すること無く、誰がリマインダ用紙を出力したのかを明確にすることができる。なお、ユーザのＩＤ情報をリマインダ用紙に印字するために、他の適宜な方法を用いてよい。たとえば、ユーザのＩＤ情報（識別情報）を送信する無線タグをユーザに取り付けるようにし、リマインダ装置１０には所定範囲内（たとえば、リマインダ装置１０のスイッチ１８にユーザの手が届く範囲）にある無線タグからのＩＤ情報を受信する無線タグ読取装置を設けるようにする。このようにしても、リマインダ装置１０は、ユーザの出力指示を検出したときに、無線タグ読取装置を介して所定範囲内にある無線タグから送信されるユーザのＩＤ情報を受信でき、そのユーザのＩＤ情報を含む情報を印字したリマインダ用紙を出力することができる。
【００４５】
また、このような無線スイッチ２８を用いてリマインダ用紙の出力指示を行う場合には、無線スイッチ２８からの信号を近距離無線によって本体２６に直接送信する代わりに、たとえば、図７に示すように、無線ＬＡＮのようなネットワーク１００を経由して、無線スイッチ２８からの信号を本体２６に送信することもできる。この場合には、たとえば、１台のリマインダ装置１０の本体２６を或る場所（たとえば、ナースステーション）に設置し、他の場所には本体２６を設置しないようにするとよい。たとえば、ユーザは、後で看護日誌に記述する必要のある事柄が病室で発生した場合など、後でナースステーションにおいてやるべき事柄がナースステーション以外の場所で発生した場合に、その看護日誌に記述する必要のある事柄が発生した時点で、無線スイッチ２８のスイッチ３６を押す。すると、ユーザによる出力指示があった旨およびユーザのＩＤ情報を伝える信号が、無線スイッチ２８からネットワーク１００を経由して本体２６に送信され、スイッチ３６を押した時点の日時とユーザのＩＤ情報とが印字されたリマインダ用紙が、ナースステーションに設置された本体２６から出力される。ユーザは、手の空いたときにナースステーションに戻り、出力されたリマインダ用紙を確認するようにすれば、或る日時（時刻）にナースステーションにおいてやるべき事柄が発生したということが分かるので、ナースステーションにおいてやるべき事柄があること、およびその内容を思い出す（確認する）ことができる。また、リマインダ用紙にはユーザのＩＤ情報が印字されるので、誰がどのリマインダ用紙を出力したのかを容易に確認することができる。
【００４６】
また、このように遠隔からリマインダ用紙の出力指示を行うときには、出力指示を行ったときのユーザ（ユーザ自身或いは無線スイッチ２８）の現在位置（場所）を検出するようにして、その現在位置の情報をリマインダ用紙に印字するようにしてもよい。たとえば、図８に示すように、ネットワーク１００を介して、リマインダ装置１０にユーザの現在位置を検出する現在位置検出システム１０２を接続し、その現在位置検出システム１０２から取得したユーザの現在位置の情報をリマインダ用紙に印字するようにしてもよい。現在位置検出システム１０２としては、公知のシステムを用いることができる。たとえば、現在位置検出システム１０２は、当該現在位置検出システム１０２の動作を制御するコンピュータ、ユーザに取り付けられてユーザのＩＤ情報（識別情報）を送信するタグ(無線タグや赤外線ＬＥＤタグ等)、および病室の出入口などの適宜な場所に設けられてタグからのＩＤ情報を受信するタグ読取装置などを含み、ユーザの病室の出入りなどを管理することによって各ユーザの現在位置を検出し、ＩＤ情報に対応付けて現在位置の情報を記録する。
【００４７】
この場合には、ユーザによって無線スイッチ２８のスイッチ３６が押されると、リマインダ用紙の出力指示があった旨およびユーザのＩＤ情報を伝える信号が無線スイッチ２８から本体２６に対して送信されると共に、現在位置検出システム１０２のコンピュータに対しても同様の信号が無線スイッチ２８から送信される。現在位置検出システム１０２のコンピュータは、無線スイッチ２８からの信号に応じて、その無線スイッチ２８を装着するユーザの現在位置を記録データから取得し、その現在位置の情報を本体２６に対して送信する。すると、本体２６では、ユーザの現在位置の情報や現在時刻の情報などが印字されたリマインダ用紙が出力される。ただし、本体２６がユーザの現在位置の情報を取得する際には、無線スイッチ２８から現在位置検出システム１０２のコンピュータに対して上述の信号を送信する代わりに、無線スイッチ２８からの出力指示の信号を受信した本体２６が、当該ユーザのＩＤ情報を伝える信号を現在位置検出システム１０２のコンピュータに対して送信して、当該ユーザの現在位置情報の送信を現在位置検出システム１０２に直接指示するようにしてもよい。このように、リマインダ用紙に、ユーザの現在位置、すなわちユーザが無線スイッチ２８のスイッチ３６を押した場所の情報も印字することによって、ユーザは、ナースステーションにおいてやるべき事柄や覚えておきたい事柄などを、より容易に思い出したり確認したりすることができる。
【００４８】
また、上述の各実施例では、リマインダ用紙に現在日時や設置場所などを印字したが、リマインダ用紙に印字する内容は、これらに限定されない。たとえば、ユーザのやるべき事柄のタイムリミット（時限）を印字するようにしてもよい。この場合には、たとえば、図９に示すように、ユーザがリマインダ用紙の出力指示を行うと共に、タイムリミットを指定するスイッチ１８、すなわちスイッチ１８ａ〜１８ｄをリマインダ装置１０に設けるとよい。つまり、ユーザは、スイッチ１８ａ〜１８ｄを押下することによって、タイムリミットの指定とリマインダ用紙の出力指示とを同時に行うことができる。
【００４９】
図９を参照して、たとえば、スイッチ１８ａは、ユーザがリマインダ用紙の出力指示を行うと共に、タイムリミットをたとえば「１０分後」に指定するためのスイッチである。同様に、スイッチ１８ｂはタイムリミットをたとえば「１時間後」に指定するためのスイッチであり、スイッチ１８ｃはタイムリミットをたとえば「３時間後」に指定するためのスイッチである。また、スイッチ１８ｄはたとえば「時限無し」を指定する（つまりタイムリミットを指定しない）ためのスイッチである。たとえば、ユーザによって、タイムリミットを１０分後に指定するためのスイッチ１８ａが押下されると、リマインダ装置１０は、タイマ１４から取得した現在時刻とスイッチ１８ａに対応付けられた所定時間とに基づいて、タイムリミットの時刻（この場合は、現在時刻の１０分後の時刻）を算出し、現在日時などの情報と共に、或いは現在日時などの情報の代わりに、タイムリミットの時刻（或いは、日時）の情報が印字されたリマインダ用紙を出力する。なお、ユーザがタイムリミットを指定する方法は、これに限定されず、適宜な方法でタイムリミットを指定できるようにしてもよい。ただし、ユーザによる簡易な操作（たとえば、ワンタッチ操作）によってタイムリミットを指定できることが望ましい。また、上述の無線スイッチ２８にタイムリミットを指定するスイッチを設けることもできる。このように、リマインダ用紙にタイムリミットを印字することで、ユーザは、やるべき事柄をより容易に思い出したり、確認したりできるので、確実にやるべき事柄を実行することができる。
【００５０】
また、たとえば、リマインダ用紙に現在日時のみ、或いはタイムリミットの時刻のみを印字することもできる。たとえば、リマインダ装置１０を適用する環境に、１台のリマインダ装置１０のみを設置する場合には、設置場所を印字しなくてもユーザは設置場所を特定できるので、リマインダ用紙には現在日時のみ、或いはタイムリミットのみを印字するだけで、ユーザはやるべき事柄を思い出したり、確認したりすることができる。また、たとえば、設置場所を印字する代わりに、リマインダ用紙を設置場所ごとに色分けする等して、そのリマインダ用紙が出力された場所を特定できる場合には、リマインダ用紙に現在日時のみ、或いはタイムリミットのみを印字するだけでよい。
【００５１】
また、上述の各実施例では、リマインダ装置１０の筐体２２には、スイッチ１８と排紙口２４とを設けたが、これに限定されず、たとえば、図１０に示すように、筐体２２に時刻を表示する表示装置（時計）４２をさらに備えるようにしてもよい。ただし、図１０では、時刻をアナログ式で表示する表示装置４２を示してあるが、表示装置４２は、デジタル式で時刻（或いは日時）を表示してもよい。このようにすれば、ユーザは、現在時刻を確認しながらスイッチ１８を操作することができる。人間にとって視覚情報は記憶に残り易いものである。したがって、ユーザは、そのときの動作が印象に残り、記憶が鮮明になるので、後にそのときの状況をさらに思い出し易くなる。
【図面の簡単な説明】
【００５２】
【図１】この発明のリマインダ装置の一実施例を示す図解図である。
【図２】図１のリマインダ装置の外観を示す図解図である。
【図３】図１のリマインダ装置が出力するリマインダ用紙の一例を示す図解図である。
【図４】この発明のリマインダ装置の他の実施例を示す図解図である。
【図５】図４のリマインダ装置の外観を示す図解図である。
【図６】図４のリマインダ装置が出力するリマインダ用紙の一例を示す図解図である。
【図７】この発明のリマインダ装置のさらに他の実施例を示す図解図である。
【図８】この発明のリマインダ装置のさらに他の実施例を示す図解図である。
【図９】この発明のさらに他の実施例のリマインダ装置の外観を示す図解図である。
【図１０】この発明のさらに他の実施例のリマインダ装置の外観を示す図解図である。
【符号の説明】
【００５３】
１０  …リマインダ装置
１２  …ＣＰＵ（リマインダ装置）
１４  …タイマ
１６  …メモリ（リマインダ装置）
１８  …スイッチ（リマインダ装置）
２０  …プリンタ
２８  …無線スイッチ
３０  …無線通信部（リマインダ装置）
１００  …ネットワーク
【図１】
2008168518.tif 000003
【図２】
2008168518.tif 000004
【図３】
2008168518.tif 000005
【図４】
2008168518.tif 000006
【図５】
2008168518.tif 000007
【図６】
2008168518.tif 000008
【図７】
2008168518.tif 000009
【図８】
2008168518.tif 000010
【図９】
2008168518.tif 000011
【図１０】
2008168518.tif 000012